Podtech/llm-jp-corpus-v4-ja_patent huggingface dataset:
(57)【要約】      （修正有）【課題】コンセツトの無い所で使用出来ない電気の動力を利用せず使用可能な人力マッサージ器を提供する。【解決手段】マッサージ枠に揺り板軸受２を両側に設け、ここに軸を持つ揺り板６を設け、両足を乗せて交互に上下運動を行い、血液の循環促進を図り改善し、横に成った時に枕とし、左右に頭を振ることで首の運動としたり、肩甲骨の所に置き右左や上下に動かすことで腰の運動としたり、肩背骨の所に置き肩背骨を動かすことで屈進運動としたり、椅子やソファの所に置き、足を乗せ交互に動かすことで目がハッキリし体を暖かくする運動としたり、寝る前に本器による足踏することで寝付きが早く成る運動としたりできる。【選択図】図１
2019025279.tif 000002
【特許請求の範囲】
【請求項１】
2019025279.tif 000006
玉（５）を設ける。揺板（６）に、指保護カバ（７）を付けた、揺り板（６）斜角度（９）に合せた切込みを設けたことを特徴とする人力マッサージマシン
【発明の詳細な説明】
【技術分野】
【０００１】この発明は素朴な構造で（１）メンテナンスがはぶける（２）自分の調子で続けくり返し続けられる、本発明は体全体の運動が続けられる
【背景技術】
【０００２】従来のマッサージ器は電力やスプリングを使用されていた。
したがって設置所選ばない
【先行技術文献】
【特許文献】
【０００３】
【特許文献１】機械ペースに引込れて振り回されるのが普通である自然に老化が進み付き合切れなくなるが本発明はセット場所選ばず使用出来る。
【発明の概要】
【発明が解決しようとする課題】
【０００４】人力によりマイペースに出来る老化によるおとろえも体の調子に合せれば良い
2019025279.tif 000003
パワーアップ出来る
【課題を解決するための手段】
【０００５】
2019025279.tif 000004
設け左右にその穴に軸を持って揺り板（６）を軸を持って付ける
2019025279.tif 000005
度に合せた角度的切辺を付ける。
本発明は以上の構成からなる人力マッサージ器である
【発明の効果】
【０００６】（イ）横に成った時枕に成る（ロ）枕にした時左右に頭を振ると首の運動に成る（ハ）健康骨の所に置き、右左に振る上下に動かすと腰の運動に成る（ニ）肩背骨の所に置き肩背骨を動かすと屈進運動に成る（ホ）椅子やソファの所に置き、足を乗せ交互に動かすと目がハッキリ体が暖かく成（ヘ）寝る前に本器による足踏すると寝付きが早く成る（ト）車の中でする事も出来る。
【図１】
2019025279.tif 000007
【図２】
2019025279.tif 000008
【手続補正書】
【提出日】平成29年10月30日(2017.10.30)
【手続補正１】
【補正対象書類名】明細書
【補正対象項目名】全文
【補正方法】変更
【補正の内容】
【発明の詳細な説明】
【技術分野】
【０００１】この発明は素朴な構造で（１）メンテナンスがはぶける（２）自分の調子で続けくり返し続けられる、本発明は体全体の運動が続けられる
【背景技術】
【０００２】従来のマッサージ器は電力やスプリングを使用されていた。
したがって設置所選ばない
【先行技術文献】
【特許文献】
【０００３】
【特許文献１】機械ペースに引込れて振り回されるのが普通である自然に老化が進み付き合切れなくなるが本発明はセット場所選ばず使用出来る。
【発明の概要】
【発明が解決しようとする課題】
【０００４】人力によりマイペースに出来る老化によるおとろえも体の調子に合せれば良い
2019025279.tif 000009
パワーアップ出来る
【課題を解決するための手段】
【０００５】
2019025279.tif 000010
設け左右にその穴に軸を持って揺り板（６）を軸を持って付ける
2019025279.tif 000011
度に合せた角度的切辺を付ける。
本発明は以上の構成からなる人力マッサージ器である
【発明の効果】
【０００６】（イ）横に成った時枕に成る（ロ）枕にした時左右に頭を振ると首の運動に成る（ハ）健康骨の所に置き、右左に振る上下に動かすと腰の運動に成る（ニ）肩背骨の所に置き肩背骨を動かすと屈進運動に成る（ホ）椅子やソファの所に置き、足を乗せ交互に動かすと目がハッキリ体が暖かく成（ヘ）寝る前に本器による足踏すると寝付きが早く成る（ト）車の中でする事も出来る。
【図面の簡単な説明】
【０００７】
【図１】本発明の斜視図である
【図２】本発明の正面図である
【発明を実施するための形態】
【０００８】以下発明を実施するため形態に付いて説明する
2019025279.tif 000012
（４）を設ける、更に指保護布を（１）設ける
2019025279.tif 000013
移動が簡単である  メンテナンスにも気を使う事がない。
【符号の説明】
【０００９】１  指保護カバー
２  揺板軸
３  揺り板ストッパ
４  指保護防音ゴム
５  揺り玉
６  揺り板
７  斜め切込み
2019025279.tif 000014
【手続補正２】
【補正対象書類名】図面
【補正対象項目名】全図
【補正方法】変更
【補正の内容】
【図１】
2019025279.tif 000015
【図２】
2019025279.tif 000016
(57)【要約】【課題】  従来の掃除機のゴミの捨て方は大別すると２通りで、場所は共に掃除機本体の中である。  上記のゴミの捨て方は、たくさんゴミが溜まっている掃除機本体を開けるので、取り換え時にホコリや臭い細菌等の問題発生があった。【解決手段】  発明部品は掃除機本体の中では無く手元操作部分にある為、簡単に取り換えができる。  よって、現在の機能を損なわず手元で簡単にゴミを捨てる事が可能となり、掃除機本体の中を開ける必要が無くなる。結果、掃除機本体を開けて溜まったゴミのホコリや臭い細菌等に関わる、取り換え回数が減少する。  簡単でキレイにゴミを捨てる部品と方法が、従来のゴミ捨て方法の解決手段となる。【選択図】図１
2019025221.tif 000002
【特許請求の範囲】
【請求項１】
手元操作部分の筒と、用途別部品の間へ発明部品を差し込み固定する使い方で、簡単にゴミを溜めて捨てる事ができるが、埃・塵・ゴミ・虫・汚れ・不要物のゴミの細かい物質を取り逃がさないようにするため、繊維物質や細かく穴の空いた形状や網等の構造による薄手で破れにくい発明部品である。
【請求項２】
請求項１は伸縮性のある発明部品である。手元操作部の大きい内経の筒の中へ差し込み、その中へもう１つの小さい筒を差し込み固定して使用する仕組みである。
【請求項３】
この発明部品に、電気掃除機の吸引される風でも乾燥し難く、且つ健康に害のない物質を染み込ませる事によって、ホコリを保持する事ができる。
【請求項４】
取り付け時やゴミが溜まって捨てる時に、付属品が結べたり折り返す事によって保持し、且つゴミが散らばらない仕組みである請求項１から３のいずれかに記載の発明部品。
【発明の詳細な説明】
【技術分野】
【０００１】
本発明は、掃除機のゴミ捨てを簡単にする部品に関するものである。
【背景技術】
【０００２】
従来の掃除機のゴミの捨て方を大別すると、ゴミを紙パックに溜めて捨てる方法と、溜まったゴミを捨てる紙パックが無い方法の２通りになる。
【０００３】
上記２通りに共通する事は、掃除機本体の中にゴミを溜める方法である。
【先行技術文献】
【特許文献】
【０００４】
【特許文献１】関連のある文献は、無いと考えられる。
【非特許文献】
【０００５】
【非特許文献１】存在しないと思われる。
【発明の概要】
【発明が解決しようとする課題】
【０００６】
従来の掃除機のゴミの捨て方は大別すると２通りで、場所は共に掃除機本体の中である。
【０００７】
上記のゴミを捨てる時、掃除機本体を開けると中にたくさんゴミが溜まっている為、取り換え時にホコリや臭い細菌等の問題発生があった。
【課題を解決するための手段】
【０００８】
掃除機の手元操作部分の筒と、用途別部品の間へ発明部品を差し込み固定する使い方を用いる。
【発明の効果】
【０００９】
掃除機の手元操作部分の筒と、用途別部品の間へ発明部品を差し込み固定する使い方である。  発明部品は掃除機本体の中では無く手元にある為、簡単に取り換えができる。
【００１０】
上記の発明方法は、掃除機本体の中を開ける必要が無くなる。
そして、溜まったゴミのホコリや臭い細菌等に関わる、取り換え回数が減少する。
【図面の簡単な説明】
【００１１】
【図１】（ａ）掃除機手元ノズル（2）と継ぎ手等（1）と、掃除機のゴミ捨てを簡単にする部品（3）。  （ｂ）掃除機手元ノズル（2）と継ぎ手等（1）との間へ、掃除機のゴミ捨てを簡単にする部品（3）を差し込む図。（ｃ）掃除機手元ノズル（2）へ、掃除機のゴミ捨てを簡単にする部品（3）を取り付けた図。（ｄ）掃除機手元ノズル（2）と継ぎ手等（1）との間に、掃除機のゴミ捨てを簡単にする部品（3）を取り付け、準備完了図。
【図２】（ｅ）（ｄ）の補足で、（１）と（2）が異素材であったりすき間が大きい場合に、（3）の端を接着して固定する事で、掃除機のゴミ捨てを簡単にする部品が掃除機本体へ吸い込まれる事を防ぐ（４）図。（ｆ）（3）の拡大図。（ｇ）（3）の長さを延長して折り返し固定、使用後折り返す事でゴミ捨て性能と見える事で付け忘れを改良した図。
【図３】（ｈ）3の形を丸くして入口に伸縮素材を取り付け、（2）へ取り付けの容易性と折り返した際に操作部外側への密着固定等の性能を改良した図。（ｉ）（3）の形を三角形や円錐形に変更し折り返し部分へ紐等を取り付ける事によって、（2）へ取り付け時の差し込みが容易になる。また、捨てる時この紐等を使う事により、利便性を改良できる。（ｊ）（3）の形はそのまま入口に伸縮素材を取り付けて、（ｄ）の（３）が（2）への密着固定等の性能を改良した図。
【発明を実施するための形態】
【００１２】
掃除機ノズルの筒先端内側へ、繊維物質等を細かく穴の空いた形状や網等の構造による仕組みで、掃除機のゴミ出しを簡単にする部品は手元操作部の管の内側の直径と、差し込む用途別部品の管の内側の直径の差である、すき間に入る厚さである。
【００１３】
この発明部品を手元操作部分の筒の中へ入れて、用途別部品を差し込み固定する事で、今までと変わらない掃除機の使用で、埃・塵・虫・汚れ・不要物等を手元操作部分の筒の中へ集める事ができる。また、前記を簡単に捨てる事が可能となる。
【実施例】
【００１４】
この発明の実施形態を、図１の（ｄ）と図２の（ｅ）に示す。
【符号の説明】
【００１５】
1・手元操作部に差し込む用途別部品の筒
2・手元操作部
3・掃除機のゴミ捨てを簡単にする部品
4・１と2が異素材やすき間が大きい場合、3の端を接着固定した図
30・掃除機のゴミ出しを、簡単にする部品3の拡大図
31・3の長さを延長して折り返し固定部分を追加して、使用後折り返す事でゴミ捨て性能を改良したタイプ。
32・3の形を丸くして入口に伸縮素材を取り付け、2へ取り付けの容易性と折り返した際に操作部外側への密着固定等の性能を改良したタイプ
33・3の形を三角形に変更し折り返し部分へ紐等を取り付ける事によって、2へ取り付け時の差し込みが容易になる。また、捨てる時にこの紐等を使う事により、利便性を改良できるタイプ
34・3の形はそのまま入口に伸縮素材を取り付けて、３が2への密着固定等の性能を改良したタイプ
【図１】
2019025221.tif 000003
【図２】
2019025221.tif 000004
【図３】
2019025221.tif 000005
(57)【要約】      （修正有）【課題】大きな本のサイズに対応しつつ、携帯性が良好なページ押さえ具を提供する。【解決手段】弾性バンド１で連結した棒状の端部に球体や立方体等の多様な形状を有するアンカー２と、断面が円形、楕円形または多角形状の筒状の端部に係止部を有した本支持具３より構成される。本支持具３は指示棒のような伸縮式または取り外し可能な連結方式であり、係止部は断面が円形、楕円形または多角形の筒状の端部にほぞ穴を有する形状のもので、弾性バンド１に連結したアンカー２を係止する。【選択図】図１
2019093699.tif 000002
【特許請求の範囲】
【請求項１】
本発明は弾性バンド（１）で連結した棒状の端部に球体や立方体等の多様な形状を有するアンカー（２）と、断面が円、楕円形または多角形の筒状の端部に係止部を有した本支持具（３）より構成されることを特徴とするページ押さえ具である。
【請求項２】
請求項１に記載した本支持具（３）は、車のアンテナのような伸縮式または取り外し可能な連結方式とする。（註；小さな本サイズに限定したページ押さえ具は、携帯性が損なわれないので、伸縮式または連結方式でなくともよい。）
【請求項３】
請求項１に記載した本支持具（３）の係止部は、断面が円形、楕円形または多角形の筒状の端部にほぞ穴を有する形状のもので、ページ押さえ及びめくり時に、弾性バンド（１）に連結したアンカー（２）を係止するものである。
【発明の詳細な説明】
【技術分野】
【０００１】
本発明は読書時に使用するページ押さえ具に関するものである。
【背景技術】
【０００２】
従来のページ押さえ具は本体の左右に開いた本のページを押さえる固定部が設けられ、バネ等の力を利用し、棒状・板状・クリップ状等の押え具さえによりページ開きを保持した。他には、クリップとアンカーウエイトを組み合わせたもの等もある。それらのページ押さえ具には、簡易に使用できるものは大きな本のサイズに対応出来ないとか、大きな本サイズに対応出来るものは携帯性が良くない等の長所に相反した短所が散見される。
【先行技術文献】
【特許文献】
【０００３】
【特許文献１】特開 2002-127642
【発明の概要】
【発明が解決しようとする課題】
【０００４】
従来のページ押さえ具はそれぞれの長所はあるが、長所に相反した短所も散見される。
例えば、器具そのものが大型でどこでも簡単に使えず不要時の収納スペースも大きいもの、本サイズに対応してページ押さえ具サイズを調整できないもの、および、ページ押さえ時に押さえ部分が文字の一部分を隠し読書の邪魔になるものがある。
また中には、ページめくりが容易でなく手間がかかり操作性が良くないものや、カウンターウェイトタイプのもので重くて携帯時の利用に向いてないものもある。
本発明は従来のページ押さえ具の、長所に相反した短所を同時に解決するページ押さえ具を提供するものである
【課題を解決するための手段】
【０００５】
本発明は弾性バンド（１）で連結した棒状の端部に球体や立方体等の多様な形状を有するアンカー（２）、および断面が円形、楕円形または多角形状の筒状の端部に係止部を有した本支持具（３）より構成される。
本支持具（３）は車のアンテナのような伸縮式または取り外し可能な連結方式であり、本支持具（３）の係止部は断面が円形、楕円形または多角形の筒状の端部にほぞ穴を有する形状のもので、弾性バンド（１）に連結したアンカー（２）を係止するものである。
【発明の効果】
【０００６】
本発明のページ押さえ具は、伸縮または連結方式により本の大きさに対応して本体サイズが調整でき、ページ押さえ部分が本の文字を隠すこともなく、ページめくり時の操作もアンカーバーの係止操作が簡易にでき、かつ、未使用時にはコンパクトに収納できるページ押さえ具を提供するものである。
【図面の簡単な説明】
【０００７】
【図１】ページ押さえ具  斜視図
【図２】ページ押さえ時／めくり時  ページ押さえ具斜視図
【図３】収納時／拡張時  ページ押さえ具斜視図
【発明を実施するための形態】
【０００８】
ページ押さえ具は弾性バンド（１）で連結したアンカー（２）および本支持具（３）より構成される。
アンカー（２）は棒状の端部に球体や立方体等の多様な形状を結合したものである。棒状に代わって、弾性バンド（１）を貫通させるために筒状とするケースもある。
伸縮式または連結方式の本支持具（３）は、断面が円形、楕円形または多角形の筒状の端部に係止部を有するものである。（註；小さな本サイズに限定したページ押さえ具は、携帯性が損なわれないので、伸縮式または連結方式でなくともよい。）
【０００９】
本支持具（３）の係止部は、断面が円形、楕円形または多角形の筒状の端部にほぞ穴を有する形状のもので、ページ押さえ及びめくり時に、弾性バンド（１）に連結したおよびアンカー（２）を係止するものである。
【００１０】
本支持具の上にページを開いた本をのせ、弾性バンド（１）で連結されたアンカー（２）を横にして本支持具（３）に挿入する。緊張した弾性バンド（１）で開いたページを押さえる。
ページめくり時には本支持具（３）端部の係止部にアンカー（２）を立てかけ、弾性バンド（１）の緊張を緩めることによりページめくりを簡易に行うことができる。ページめくり後はアンカー（２）を筒状の中に横向きに挿入し、再度弾性バンド（１）を緊張させページを押さえることにより開いたページを保持する。
これらの操作は簡易に行えるので、読書の妨げとならず快適な読書を提供できる。
【００１１】
本支持具（３）は伸縮式または連結方式で伸縮自在であることにより、大きさ・厚さの異なる本サイズに対応することができる。
未使用時には弾性バンド（１）およびアンカー（２）は、伸縮式または連結方式で縮小された本支持具（３）の筒内に収納するができるので、コンパクトで携帯性にすぐれたものである。
部品数が弾性バンド（１）、アンカー（２）および本支持具（３）の３点でとてもシンプルな構成なので汎用性にもすぐれてる。
【産業上の利用可能性】
【００１２】
ページ押さえ具を使用することにより、手で本を押さえる必要がなくハンズフリーとなる。
ハンズフリーにより、勉学や仕事に集中することや、レシピ本を見ながら料理を造ることができる。
スポーツ・演劇・武道等の本には、動作の手本となる図や写真が記載されてるものが多々ありますが容易に真似ることができ、
また逆に、本の写真撮影が必要な場合、見開いたページの必要部分を簡易に撮影できる。
【符号の説明】
【００１３】
1 ; 弾性バンド
2 ; アンカー
3 ; 伸縮または連結方式の本支持具
【図１】
2019093699.tif 000003
【図２】
2019093699.tif 000004
【図３】
2019093699.tif 000005
(57)【要約】      （修正有）【課題】杖を用いる人は、体が不自由な人が多く、屈んで倒れた杖を拾い上げることは苦痛である。だから、壁に立てかけた杖が倒れにくく、また置いた杖が簡単につかめる杖を提供する。【解決手段】本発明は、握り手の前方に磁石を付けて、二つの杖が握り手前方で引っ付くことで、壁などに立てかけた時に、倒れにくくなる。また、鉄プレートなどを壁に貼ることで、杖と杖が引っ付いていなくても、杖とプレートが引っ付いて倒れにくくなり、また簡単に杖をつかめる。【選択図】なし【特許請求の範囲】
【請求項１】
二つの杖の一方の握り手の前方ともう一方の杖の前方が磁力で引っ付く杖。
【請求項２】
杖の握り手の前方と壁などに貼った板が磁力で引っ付き、立てかけた杖が倒れにくくしたシステム。
【発明の詳細な説明】
【技術分野】
【０００１】  ２本の杖の持ち手前方に強力な磁石を付けた。室内で２本の杖を使うことで、２本の杖が持ち手前方でひっつくために、２本の杖自身がが壁などに立てかけた時に倒れにくい。また、行く所々に、磁石と引っ付く板を壁等に貼ることによって、簡単に杖をつかみなおす事が出来る杖である。
【背景技術】
【０００２】  家の中では、杖を使うことはなく、壁や食卓などをつたって歩いていた。また、杖を使っていたとしても、杖が壁などに立てかけていても、倒れてひろうのが大変でした。
【発明の概要】
【発明が解決しようとする課題】
【０００３】  従来の杖には、次のような欠点があった。
壁などに立てかけても、ほぼ垂直に立てかけないと倒れることがある。また、ひとつの杖を手に持っていても、もうひとつの倒れた杖は、かがんで拾わなければならなかった。
【課題を解決するための手段】
【０００４】  ［図０１］、［図０２］、［図０３］と［図０４］で示すように、杖の握り手の前の部分に円柱や角柱の磁石を付ける。そして、一方の杖の前方部分が磁石のＳ極で、埋め込まれている磁石の後ろ部分がＮ極である。他方の杖は、磁石を逆に埋め込む。すなわち、磁石の杖の前方がＮ極で後方がＳ極である。
また、壁面に磁石が引っ付く板などを貼ると杖の前の部分を磁石に近づけると杖とその板が引っ付く。それを［図０７］、［図０８］、［図０９］で示す。
【発明の効果】
【０００５】  （イ）二つの杖を壁面などに立てかける時に、杖の前方部分の磁石を引っ付け合うことで、杖の握り手部分が後ろ−前−前−後ろと一直線になり、平たい板を立てかけたようになり、杖が倒れなくなる。［図０５］と［図０６］参照
（ロ）二つの杖を壁面などに立てかける時に、杖の前方部分の磁石を引っ付け合うことで、杖の握り手部分が後ろ−前−前−後ろと一直線になる。体前面を壁に向かって向き、手の甲を壁に沿って杖の握り手に下ろせば素直に杖をつかめる。［図０５］と［図０６］参照
（ハ）杖をよく置くと場所に。磁石が引っ付く板などを壁などに貼る。それで、杖が倒れなくなるだけでなく、杖をたやすくつかめる。［図０７］、［図０８］と［図０９］参照
（ニ）一つの杖を持っていて、もう一つの杖が倒れて床に横たわっている時に、持っている杖を上下逆さに持ち替え、磁石と磁石を引っ付け合わせて、倒れた杖を引き上げれば、屈まなくての杖をひらえる。
【図面の簡単な説明】
【０００６】
【図０１】  普通の杖に握り手部分の前方部分に円柱か角柱の磁石を付けた杖。
【図０２】  握り手部分と杖支柱の一部分を拡大して、磁石の部分が分かり安くした図。
【図０３】  （図０２）の部分を前から見た図。
【図０４】  本考案の一組２本の杖の図。
【図０５】  本考案の杖を壁に立てかけた図。
【図０６】  本考案の杖を壁に立てかけた図。
【図０７】  本考案の杖を磁石が引っ付く板にひっつけたのを斜め上から見た図。
【図０８】  本考案の杖を磁石が引っ付く板にひっつけたのを真横から見た図
【図０９】  本考案の杖を磁石が引っ付く板にひっつけたのを真上から見た図
【図１０】  家のいろいろな場所に貼る磁石が引っ付くプレートの例の一部分。
【発明の実施するための形態】
【０００７】  以下、発明の実施するための形態について説明する。
従来の杖は、立てかけると倒れたりしていた。また、杖をつくような人は、多くの人が１本の杖を使っているが、１本の杖を使うことによって体の左右にアンバランスな力が働き余計からだが悪くなることが多い。よって２本杖で足の悪い人が使えるような杖を考案した。
杖の握り手部分の前方部分に磁石を付けた杖。他方の杖のＮ極とＳ極は一方の杖の極と逆になっていて、杖の握り手部分の前でお互いに引っ付くようになっている。
また、その杖の握り手先の磁石部分と磁石が引っ付くような板があり、そこに杖の前部分の磁石と引っ付くようになっている。
【符号の説明】
【０００９】    Ａ  磁石のＳ極
Ｂ  磁石のＮ極
Ｃ  磁石が引っ付く板
Ｄ  床面
Ｅ  壁
【図０１】
2019093094.tif 000002
【図０２】
2019093094.tif 000003
【図０３】
2019093094.tif 000004
【図０４】
2019093094.tif 000005
【図０５】
2019093094.tif 000006
【図０６】
2019093094.tif 000007
【図０７】
2019093094.tif 000008
【図０８】
2019093094.tif 000009
【図０９】
2019093094.tif 000010
【図１０】
2019093094.tif 000011
(57)【要約】【課題】  本発明は、筆記具や文房具を整理しやすく、また形状を変えることにより取出しやすさや持運びのしやすさ改善するためになされたである。【解決手段】  ペンポーチをポケットが数か所ついた平面形状に設計し、文房具を入れるとポーチの中で整理され見やすくすることができ、またポーチ両側に両面ホックを取り付けどちら側にも止められるようにし、立てて使ったり平面で使ったりでき、また格納も丸めたり平面にしたりできることを特徴とするペンポーチ。【選択図】図１
2019093084.tif 000002
【特許請求の範囲】
【請求項１】
ペンポーチをポケットが数か所ついた平面形状に設計し、文房具を入れるとポーチの中で整理され見やすくすることができ、またポーチ両側に両面ホックを取り付けどちら側にも止められるようにし、立てて使ったり平面で使ったりでき、また格納も丸めたり平面にしたりできることを特徴とするペンポーチ。
【発明の詳細な説明】
【技術分野】
【０００１】  本発明は、筆記具や文房具を整理しやすく、また形状を変えることにより取出しやすさや持運びのしやすさを工夫したペンポーチに関するものである。
【背景技術】
【０００２】  従来、ペンポーチは何本もの筆記具をまとめて収納するのでポーチの中で使うものを見つけにくいものが多かった。また使用時に立てて使用するものもあるがそれらも同様にまとめて入れる形状のものがほとんどである。
【発明の概要】
【発明が解決しようとする課題】
【０００３】  本発明は、筆記具はじめ文具をわかりやすく収納し、また使用時や持運び時の作業性の向上のためになされたものである。
【課題を解決するための手段】
【０００４】  ポーチを平面状に作り、その片面にポケットを深いものと浅いものを作り両側にホックを取り付けるためのホック付け布を縫い付けておく。
ポケットが均等に３分割されるように２カ所を縫製し、深いポケット・浅いポケットをそれぞれ３分割する。
両側のホック付け布の片側にオス、反対側にメスの部品が付いたホック（両面ホック）を２ヵ所、開閉ができる位置に取り付ける。
ポーチ上部左右にホックを付け、深いポケットのふたにする。
以上の構成からなるペンポーチ。
【発明の効果】
【０００５】  仕切られた深いポケット３か所・浅いポケット３か所に筆記具および文具を入れると、文具が動かず重ならず、使うものをさっと見つけることができる。
立てて使いたい場合はポケット面を外側にして両面ホックで止めることによりスタンド型になる。
持運び時は、深いポケットの上部のふたで筆記具が落ちないように覆うことができる。
またポケット面を内側にして両面ホックで止めることにより、浅いポケットも内側になり持運び時に落下の危険がない。
鞄などの入れる場所により薄型で持ち運びたい場合は、両面ホックを止めずに平らな状態で持ち運べる。
【図面の簡単な説明】
【０００６】
【図１】  本発明のポケット面（表面）の正面図である。
【図２】  本発明のポケット面を表面にして両面ホックで留めた図である。
【図３】  本発明のポケット面を内側面にして両面ホックで留めた図である。
【発明を実施するための形態】
【０００７】  以下本発明の実施の形態を説明する。
（イ）本体（１）表面に深いポケット（２）と浅いポケット（３）作り、仕切り縫製（４）をしてポケットを３分割する。
（ロ）本体（１）作成時にあらかじめ本体両側面２か所にホック付け布（５）を取り付けておき、そこに両面ホック（６）を取り付ける。
（ハ）本体（１）上部両側に（７）ホックを４か所取り付ける
本発明は以上のような構成である。
本発明を使用するときは、仕切られた深いポケット３か所・浅いポケット３か所に筆記具および文具を入れると、文具が動かず重ならず、使うものをさっと見つけることができる。
立てて使いたい場合はポケット面を外側にして両面ホックで止めることによりスタンド型になる。
持運び時は、深いポケットの上部のふたで筆記具が落ちないように覆うことができる。
またポケット面を内側にして両面ホックで止めることにより、浅いポケットも内側になり持運び時に落下の危険がない。
鞄などの入れ場所により薄型で持ち運びたい場合は、両面ホックを止めずに平らな状態で持ち運べる。
【符号の説明】
【０００８】    １  本体
２  深いポケット
３  浅いポケット
４  仕切り縫製
５  ホック付け布
６  両面ホック
７  ホック
８  本体フタ
９  本体裏側
【図１】
2019093084.tif 000003
【図２】
2019093084.tif 000004
【図３】
2019093084.tif 000005
(57)【要約】      （修正有）【課題】基本動作を模擬体験出来、正確な姿勢や重心移動を自宅等身近な場所で練習出来るので、短期間で数百〜数千回の反復練習を可能にした横乗りスポーツ基礎練習装置を提供する。【解決手段】傾斜ベース１上で軸回転出来る横乗りボード２をユニバーサルジョイント５（ラバージョイントも可能）で接続、横乗りボード前後（前足側・後ろ足側）の中心付近にボードの軸回転を妨げない方向で複数の車輪６を設け、左右（踵側・爪先側）のエッジィングでブレーキが掛るストッパー８も備え、バックサイドエッジング姿勢、フロントサイドエッジング姿勢を確認・連続動作練習を可能とする。また、ボード前後の固定車輪は複数、車輪軸を幾分ずらす事で、ボードフラットの前足加重直滑降姿勢を確認練習を可能とする。【選択図】図１
2019093087.tif 000002
【特許請求の範囲】
【請求項１】
横乗りスポーツでの基本動作は、乗りボードの直滑降姿勢（前足加重）、バックサイドエッジング姿勢（踵側ボードレール加重）、フロントサイドエッジング姿勢（爪先側ボードレール加重）この３つの基本姿勢を加重・抜重を使い連続動作で重心移動を繰り返せる技術が必要。
本機は、３つの基本姿勢の確認や連続動作での重心移動反復練習を可能にした装置である。
傾斜を保てるベース台に左右（踵側・爪先側）に傾けれるユニバーサルジョイント（ラバージョイントでも可能）で乗りボードを回転可能な構造で回転軸上に接続、また乗りボードの前後（前足側・後ろ足側）の中心付近に、乗りボードに体重を乗せたまま軸回転出来る様に複数の固定車輪を備え、その固定車輪の軸心を必要な分左右にずらす事でボード前足加重でのボードフラットの直滑降姿勢を保てるように備えた、乗りボードの左右（踵側・爪先側）には、乗りボードを傾けるエッジングでブレーキが掛るストッパーも備えた。
ベース台の谷（低い方）と真横方向でバックサイドエッジング姿勢で停止、エッジングを抜きつつ前足へ加重すると重力の影響で前足方向が谷方向へ回転を始める、谷方向までは前足加重姿勢での回転、そのまま抜重で回転を維持しフロントサイドエッジングのブレーキで乗りボードの回転停止、そのままフロントエッジングを抜きつつ前足加重で逆回転の谷下ろし、そのまま抜重での回転維持でバックサイドブレーキで逆回転停止。
この反復動作で横のりスポーツの基本、バックサイド姿勢、前足加重姿勢、フロントサイド姿勢の各姿勢と重心移動を確認や連続動作練習出来る装置である。
【発明の詳細な説明】
【発明の詳細な説明】
【発明に属する技術分野】
【０００１】サーフィン、ウインドサーフィン、ＳＵＰ、スノーボード等の横乗りスポーツは重心移動でのエッジィング切り替えしでターンやスピード調整が醍醐味ですが、初心者の頃の低速条件ではエッジングは上手く出来ず、低速ならでの身体を捩じる誤魔化した操作になりがちです、その誤魔化し操作では高速での対応は困難で中上級者技術への進歩の妨げになる。
初心者の頃の低速でも、加重・抜重でのボード回転練習を繰り返し、正しい重心移動方法を練習できたら確実な上達だが、レジャースポーツでは、基本を知らないままがほとんど、スクールで習っても短時間では身体は上手く対応出来ないので、理論を正確に習っても数時間での反復運動では回数不足と体力限界で上手く操作出来ない。
本機は、横乗りスポーツで重要な、バックサイドエッジング姿勢、直滑降前足加重姿勢、フロントサイドエッジング姿勢の確認と重心移動の反復練習を現場（ゲレンデ）へ行く事も無く自宅等身近な場所でも練習可能にした装置！
【背景技術】
【０００２】従来の横乗りスポーツは、現場で練習開始がほとんど、スクールで習っても普段の生活では動いたことも無い動作を習いはじめるので、数時間では反復運動での経験不足でなかなか上手く対応出来ない、我流の人はもちろんスクールで習った人でも基本練習数日間では基本技術習得は不可能、練習不足での中上級者条件では誤魔化した身体を捩じる操作で高速でのコントロールは不可能で悪戦苦闘しがちです。
【発明が解決しようとする課題】
【０００３】横乗りスポーツの重要な、３つの基本姿勢の理解と重心移動を習得するには数百〜数千回の正確な反復運動が必要、数日単位では時間的にも体力的にも不可能。
従来の現場での練習のみでは、一般の方には移動時間、自然条件、休日、経費等さまざまな理由で回数が限られ、上達には数年でも反復練習時間不足でした。
【課題を解決するための手段】
【０００４】本機は基本動作を模擬体験出来、正確な姿勢や重心移動を自宅等身近な場所で練習出来るので、短期間で数百〜数千回の反復練習を可能にした装置。
【発明を実施するための形態】
【０００５】傾斜を保てるベース台に左右（踵側・爪先側）に傾けれるユニバーサルジョイント（ラバージョイントでも可能）で乗りボードを回転可能な構造で回転軸上に接続、また乗りボードの前後（前足側・後ろ足側）の中心付近に、乗りボードが軸回転出来る方向で複数の固定車輪を備え、その固定車輪の軸心を必要な分左右にずらす事でボード中心上に重心を置くボードフラットの直滑降姿勢を保てるように備えた、乗りボードの左右（踵側・爪先側）には、乗りボードを傾けエッジングするとブレーキが掛るストッパーも設けた。
【発明の効果】
【０００６】ベース台谷（低い方）と真横方向でバックサイドエッジングストップ姿勢、エッジングを抜きつつ前足へ加重すると重力の影響で前足方向が谷方向へ回転を始める、谷方向までは前足加重での回転、そのまま抜重で回転を維持しフロントサイドエッジングでブレーキ、乗りボード回転停止、そのままフロントエッジングを抜きつつ前足加重で逆回転の谷下ろし、そのまま抜重での回転維持でバックサイドブレーキ、乗りボード逆回転停止。
この反復動作で横のりスポーツの基本、バックサイド姿勢、前足加重姿勢、フロントサイド姿勢の各姿勢と重心移動を確認練習出来る、回数に限りある現場では無く、自宅等身近な場所でも反復練習が出来る為、上達までの数百〜数千回の反復運動も短期間の数ヶ月単位でも可能な装置。
【図面の簡単な説明】
【図１】上面図・前面図・側面図・ａ―ａ’断面図
【符号の説明】▲１▼傾斜ベース台
▲２▼横乗りボード（乗り板）
▲３▼ボード回転軸
▲４▼回転補助ベアリング（ブッシュ等軸のみでも可能）
▲５▼ユニバーサルジョイント（ラバーゴム等でも可能）
▲６▼ボード回転補助車輪（複数でも可能）
▲７▼ボードフラット維持間隔
▲８▼ボードエッジングストッパー
【図１】
2019093087.tif 000003
(57)【要約】【課題】従来の将棋の駒は、小さい子の小さな手では持ちにくく、滑りやすかった。さらに漢字表記のために難しく、動かし方や、どの駒が強いか、持ち駒はどれかがわかりにくかった。【解決手段】将棋の駒を、小さい子の小さな手で持ちやすい大きさのサイコロ状にした。サイコロ状にすることで、６通りの使い方ができる。漢字はひらがな表記にし、動かし方を明記した。また、どの駒が強いかを表す得点化、持ち駒の色分けをすることで、最初の位置を分かりやすく区別し、相手の駒と混ざりにくくした。【選択図】図１
2019093086.tif 000002
【特許請求の範囲】
【請求項１】
将棋の駒をサイコロ状にしたことを特徴とするサイコロしょうぎ。
【請求項２】
将棋の駒をサイコロ状にしたことで、６通りの使い方ができる。駒の名前はひらがな表記にし、駒の動かし方は手前の図を見ればわかるようになっている。またどの駒が強いかは、相手の駒の正面に得点化しているのでわかりやすい。また、持ち駒を色分けしているため、最初の位置を分かりやすく区別し、相手の駒と混ざりにくい。
【発明の詳細な説明】
【技術分野】
【０００１】  この発明は、将棋の駒をサイコロの形状にした事に関する。
【背景技術】
【０００２】  従来の将棋の駒は、図２に示すように、五角形となる。
【発明の概要】
【発明が解決しようとする課題】
【０００３】  しかしながら、以上の技術によれば、小さい子が持つには持ちにくく、すベりやすいものであった。さらに、漢字表記に加え、将棋のルールがわかりにくいものであった。
そこで、この発明は、小さい子が持ちやすい形や大きさの将棋の駒、または将棋のルールをわかりやすく提供することを課題とする。
【課題を解決するための手段】
【０００４】  以上の課題を解決するために、駒の形状をサイコロ（立方体）にしたことを特徴とする駒である。
【発明の効果】
【０００５】  第一発明によれば、小さい子供を含む多くの人が取り組むことができ、将棋のルールをわかりやすく知ることができる。
【図面の簡単な説明】
【図１】この発明の一実施形態を示す斜視図と展開図である。
【図２】従来技術を示す斜視図である。
【発明を実施するための形態】
【０００６】  この発明の一実施形態を、図１に示す。
サイコロしょうぎの本体１は木製である。サイコロ本体は６面あり、６通りの使い方ができる。
【０００７】「実施形態の効果」
この実施形態によれば、小さい子供の小さな手でも駒が持ちやすい。駒の動かし方は手前の図を見ればわかるようになっている。また、どの駒が強いかは、相手の駒の正面に得点化しているのでわかりやすい。また、自分と対戦相手の持ち駒を色分けしているため、最初の位置を分かりやすく区別し、相手の駒と混ざりにくい。
【符号の説明】
【０００８】１  サイコロしょうぎ本体  ２  駒の名称（ひらがな）  ３  得点
４  色分け  ５  色分け  ６  動かし方  ７  駒が「なる」場合の名称（ひらがな）
【図１】
2019093086.tif 000003
【図２】
2019093086.tif 000004
(57)【要約】【課題】製品の品質と精度を向上でき、且つコストが低いレーザ彫刻機の彫刻品質の改善方法を提供する。【解決手段】レーザ彫刻機の彫刻品質の改善方法であって、まずコンピュータのデータベースにおいて、被加工ワークの彫刻パラメータを少なくとも一組を設定または記憶し、そのデータベースにおける彫刻パラメータの一つを設備側に受信させることによって、前記設備側における彫刻装置を駆動して彫刻作業を開始し、且つ前記彫刻装置は同一の彫刻経路に沿って往復移動するとき、単一方向のみに彫刻作業を行う。【選択図】図１
2019188401.tif 000002
【特許請求の範囲】
【請求項１】
レーザ彫刻機の彫刻品質の改善方法であって、以下のステップを含む：
ステップａ：まずコンピュータのデータベースにおいて、被加工ワークの彫刻パラメータを少なくとも一組設定または記憶する、
ステップｂ：ステップａのデータベースにおける彫刻パラメータの一つを設備側に受信させることによって、前記設備側における彫刻装置を駆動して彫刻作業を開始する、及び
ステップｃ：前記彫刻装置が同一の彫刻経路に沿って往復移動するとき、単一方向のみに彫刻作業を行う、
改善方法。
【請求項２】
ステップｃにおいて、前記彫刻装置は、前進するときに被加工ワークを彫刻し、後退するときには前記被加工ワークに対する彫刻作業を停止する請求項１に記載のレーザ彫刻機の彫刻品質の改善方法。
【請求項３】
前記彫刻装置はモータによって駆動されて運転される請求項１に記載のレーザ彫刻機の彫刻品質の改善方法。
【発明の詳細な説明】
【技術分野】
【０００１】
本発明は製品の品質と精度を向上でき、且つコストが低いレーザ彫刻機の彫刻品質の改善方法に関するものである。
【背景技術】
【０００２】
レーザ彫刻はとても簡単なプロセスであり、それはコンピュータとプリンタを用いて紙にプリントするのと同じように、いろいろなパターンを編集して、コンピュータによってパターンを彫刻機に「プリント」することである。その唯一の相違点として、プリントはインクを紙にプリントするのに対して、レーザ彫刻はレーザによって出力された光束を例えば木製品、アクリル、プラスチックプレート、金属プレート又は石材のような被加工ワークに集束ことにあり、集束された光束は、材料に吸収され、温度が急に上昇して材料は気化し、被加工ワークの表面が凹むようになり、それで彫刻の目的を実現する。
【０００３】
従来のレーザ彫刻はレーザ加工の間隔密度が非常に高かったため、レーザ加工によって出力された物品の品質は彫刻用部品に左右されやすく、加工後に品質又は精度が問題になることが時々ある。各メーカは彫刻の品質を向上するために、例えば焦点はずれ、彫刻パターンの細かさの低減、レーザ出力エネルギーの強化、または精度がより高い彫刻用部品を制作するなどといろいろな工夫を試してみたが、彫刻工程を増やし、作業時間を延ばし、かえって生産コストが高くなる。
【発明の概要】
【発明が解決しようとする課題】
【０００４】
如何にして従来の機構に加工工程を利用して製品品質と精度を向上し、そして、コストを低減するかは、発明者の研究の方向である。本発明が解決しようとする課題は製品の品質と精度を向上でき、且つコストが低いレーザ彫刻機の彫刻品質の改善方法を提供することにある。
【課題を解決するための手段】
【０００５】
本発明のレーザ彫刻機の彫刻品質の改善方法は、まずコンピュータのデータベースにおいて、被加工ワークの彫刻パラメータを少なくとも一組設定または記憶し、そのデータベースにおける彫刻パラメータの一つを設備側に受信させることによって、前記設備側における彫刻装置を駆動して彫刻作業を開始し、且つ前記彫刻装置は同一の彫刻経路に沿って往復移動するとき、単一方向のみに彫刻作業を行う。
【０００６】
実施するとき、前記彫刻装置は前進するときに被加工ワークを彫刻し、後退するときには前記被加工ワークに対する彫刻作業を停止する。
【０００７】
実施するとき、前記彫刻装置はモータによって駆動されて運転される。
【発明の効果】
【０００８】
上記設計によって、前記彫刻装置は同一の彫刻経路に沿って往復移動するときに、単一方向のみに彫刻作業を行うため、レーザが異なったモータの運転方向に加工を実行することによって発生する品質低下の問題は効果的に抑制され、さらに彫刻精度と品質が向上する。
【０００９】
本発明をより詳しく理解するために、以下は好ましい実施例と図面、図番を参照しながら、本発明の具体的な構成内容及びその効果について説明する。
【図面の簡単な説明】
【００１０】
【図１】図１は本発明の実施例のフローチャートである。
【発明を実施するための形態】
【００１１】
図１に示す通り、それは本発明のレーザ彫刻機の彫刻品質の改善方法の一つである好ましい実施例である。
【００１２】
本発明のレーザ彫刻機の彫刻品質の改善方法は、主にレーザ彫刻作業に適用され、そのフローは以下のステップを含む：
ステップａ：まずコンピュータのデータベースにおいて、被加工ワークの彫刻パラメータを少なくとも一組設定または記憶する；
ステップｂ：ステップａのデータベースにおける彫刻パラメータの一つを設備側に受信させることによって、前記設備側における彫刻装置を駆動して彫刻作業を開始する；及び
ステップｃ：前記彫刻装置が同一の彫刻経路に沿って往復移動をするとき、単一方向のみに彫刻作業を行う。
【００１３】
実施時に、被加工ワークを設備側に設置して彫刻作業を行うとき、前記彫刻装置はコンピュータに提供された彫刻パラメータによるモータ駆動を経て彫刻作業を開始し、彫刻装置は設備側における移動モードが同一経路における前進と後退を経て、継続して次の経路における前進と後退を行うため、本発明のステップｂにおいて、前記彫刻装置が同一彫刻経路を往復移動するとき、単一方向に彫刻作業を行い、例えば同一経路において前進するときレーザ彫刻を行い、後退するときレーザ彫刻作業を停止する。
【００１４】
そのため、上記設計によって、前記彫刻装置は同一の彫刻経路に沿って往復移動するときに、単一方向のみに彫刻作業を行うため、レーザが異なったモータの運転方向に加工を実行することによって発生する品質低下の問題は効果的に抑制され、さらに彫刻精度と品質が向上する。
【００１５】
明らかに、以上は単に本発明の具体的な実施例及びその適用であって、当業者であれば、本発明の技術的解決手段の精神と範疇から逸脱することなく、本発明の技術的解決手段に対する修正や置換が可能であることは、当然理解されるものであり、それらは全て本発明の特許請求の範囲に属する。
【００１６】
以上に述べたように、以上に記載の内容によって、本発明は予期の目的を達成することができ、提供するレーザ彫刻機の彫刻品質の改善方法は、産業上利用される価値が非常に高いため、法律によって発明を出願する。
【符号の説明】
【００１７】
ステップａ：まずコンピュータのデータベースにおいて、被加工ワークの彫刻パラメータを少なくとも一組設定または記憶する。
ステップｂ：ステップａのデータベースにおける彫刻パラメータの一つを設備側に受信させることによって、前記設備側における彫刻装置を駆動して彫刻作業を開始する。
ステップｃ：前記彫刻装置が同一の彫刻経路に沿って往復移動をするとき、単一方向のみに彫刻作業を行う。
【図１】
2019188401.tif 000003
(57)【要約】【課題】従来の製造方法より強度、精度及び生産性を向上させる事が出来る板状の部分に表裏など異なる方向に軸及び筒状の形状を有するプレス加工品及びその製造方法を提案すること。【解決手段】板状の部分に表裏など異なる方向に軸及び筒状の形状を有するプレス加工品及びその製造方法は、（Ｂ１）を６方向から素材を圧縮してＴを（Ｂ２）のｔ１に厚板化させ、さらに（Ｂ２）を７方向から圧縮をかける事により、（Ｂ３）のｔ３まで８方向へ軸及び筒状の形状を増厚させることにより、従来の製造方法より強度を向上させる事が可能で、かつ、精度及び生産性を向上させた製造が出来る。【選択図】図２
2019188465.tif 000002
【特許請求の範囲】
【請求項１】
板状の塑性加工が可能な金属材料を、外周の縁から加圧して、素材の厚さを厚板化させる第一工程と、第一工程の後に、軸部を増厚させつつ、残りの部分を潰す第二工程を備え軸部は前記素材の肉厚よりも厚く、軸部の周囲は前記素材とほぼ同厚に成形することを特徴とする軸部の成形方法。
【発明の詳細な説明】
【技術分野】
【０００１】  本発明は、板状の部分に表裏など異なる方向に軸及び筒状の形状を有するプレス加工品及びその製造方法に係り、特に、従来の製造方法より強度、精度及び生産性を向上させる事が出来る製造方法に関する。
【背景技術】
【０００２】  従来から、板状の部分に表裏など異なる方向に軸及び筒状の形状を有する製品は、切削加工や板と軸及び筒状の２部品を接合する事により製品化されて来た。【０００３】  また、鍛造加工によって製造もされているが、素材は軸及び筒状の高さの棒状のものを有し、圧縮加工をすることにより板状の部分を成形する方法で製造されてきた。
【発明が解決しようとする課題】
【０００４】  これらの方法で製造された製品は、素材組織の流れ（ファイバーフロー）が断裂及び屈折されているため特に使用上の強度的な問題があり、強度の向上が求められている。
【０００５】  また、強度を向上させるには、精度及び生産性を犠牲にさせる事となり、全てを満足させる事が困難である。
【０００６】  本発明者は、このような形状の問題点に着目し、従来の製造方法より強度を向上させる事が可能で、かつ精度及び生産性を向上させ、板状の部分に表裏など異なる方向に軸及び筒状の形状を有するプレス加工及びその製造方法を提供することを目的とする。
【発明を解決するための手段】
【０００７】  このような目的を達成する本発明のプレス加工は、プレス加工成形により板状の材料を素材の厚さより厚板化させ、かつ、局所的に増厚させる事により板状の部分に表裏など異なる方向に軸及び筒状の形状を有する成形方法である。
【発明の効果】
【０００８】  本発明の製造方法は、一般的なプレス加工に使用される板厚の素材をプレス加工により厚板化させる。そしてその材料に、軸及び筒状とする箇所に局所的に増厚させる。
【０００９】  このような製造方法で製造された製品は、従来の製造方法より強度が向上され、かつ、精度及び生産性を向上させた製造方法である。
【図面の簡単な説明】
【００１０】
【図１】本発明を適用した、製造方法の一例と、従来の製造方法を示す説明図。
【図２】各製造工程を示す説明図。
【発明を実施するための形態】
【００１１】  以下、本発明のプレス加工品及びその製造方法の実施の一形態について、図面を参照して説明する。
【００１２】  まず、図１（Ａ１）を参照して、本発明のプレス加工品の一例を説明する。
本発明を適用した製品は、１及び３部が一体となっており、２部での接合はない。
【００１３】  次に（Ａ２）を参照して、従来の製造方法で製造された製品の一例を説明する。
４を切削しているので、２の素材組織の流れ（ファイバーフロー）は断裂している。
【００１４】  さらに、（Ａ３）を参照して、従来の製造方法で製造された製品の一例を説明する。
５を潰しているので、２の素材組織の流れ（ファイバーフロー）は屈折してる。
【００１５】  図２は本発明のプレス加工品の各製造工程の一例を示す説明図である。
【００１６】  （Ｂ１）は板厚Ｔが６ｍｍ時に、６方向から素材を圧縮して（Ｂ２）にｔ１を１１ｍｍに厚板化させる。なお、この工程は完成形状により、１工程のみではなく、複数工程となることもある。
【００１７】  （Ｂ２）に７方向から圧縮をかける事により、ｔ２が６ｍｍとなり、８方向へ軸及び筒状の形状を増厚させる。なお、この工程は完成形状により、１工程のみではなく、複数工程となることもある。
【００１８】  すると、（Ｂ３）の様に軸及び筒形状の形状ｔ３を１４ｍｍまで増厚させることができ表裏など異なる方向に成形可能となる。
【００１９】  なお（Ｂ３）の軸及び筒形状の高さｔ３の１４ｍｍは、（Ｂ２）の厚さｔ１の１１ｍｍより増加する事が特徴である。
【符号の説明】１……板形状
２……接合部及び素材組織の流れ（ファイバーフロー）の断裂もしくは屈折部
３……軸及び筒状形状
４……切削部
５……鍛造部
６……厚板化圧縮方向
７……増厚圧縮方向
８……増厚方向
Ｔ……素材板厚
ｔ１……増厚後の板厚
ｔ２……増厚時の板厚
ｔ３……増厚部の板厚
【図１】
2019188465.tif 000003
【図２】
2019188465.tif 000004
(57)【要約】【課題】  ダブルクリップにおいて挟んでいるものを離すことなく挟むものを追加するための複式クリップを提供する。【解決手段】  ダブルクリップのレバー１とレバー２の間にレバー３を設けた複式クリップを特徴とする。【選択図】図１
2019188791.tif 000002
【特許請求の範囲】
【請求項１】
ダブルクリップの２つのレバーの他に１つまたはそれ以上の追加レバーを設け、開閉しない部分で挟んでいるものを離すことなく、レバーと追加レバーの開閉に依りものを挟むことを可能とする複式クリップ。
【請求項２】
ダブルクリップの２つのレバーを閉じることに依り、すべての挟んでいるものを離すことが可能な複式クリップ。
【発明の詳細な説明】
【技術分野】
【０００１】  この発明は、ダブルクリップにおて複数の項目に分類して保持を可能とする複式クリップに関する。
【背景技術】
【０００２】  従来のダブルクリップは、挟む部分が１つに限られていた。
【発明の概要】
【発明が解決しようとする課題】
【０００３】  従来のダブルクリップでは、すでに何かを挟んでいる場合に挟むものを追加する場合は、一旦挟んでいるものを離す必要があった。
本発明では、すでに挟んでいるものを離すことなく、挟むものを追加できるようにすることを課題とする。
【課題を解決するための手段】
【０００４】  ダブルクリップのレバー１とレバー２の間にレバー３を設けたものが、複式クリップである。
【発明の効果】
【０００５】  レバー１とレバー３を開閉する場合に、レバー２とレバー３で挟んでいるものを離すことはない。
【図面の簡単な説明】
【０００６】
【図１】  この発明の斜視図である。
【図２】  この発明の側面図である。
【発明を実施するための形態】
【０００７】  以下、この発明を実施するための形態を説明する。
ダブルクリップの胴体部に穴をあけ、レバー３を設ける。
ダブルクリップのレバー１とレバー３を開閉し、クリップ位置１にものを挟むことができる。
ダブルクリップのレバー２とレバー３を開閉し、クリップ位置２にものを挟むことができる。
クリップ位置２にものを挟む際に、クリップ位置１で挟んでいるものを離す必要は無い。
レバー１とレバー２を閉じることで、クリップ位置１とクリップ位置２で挟んでいるものを全て離すことができる。
【符号の説明】
【０００８】  １  レバー１
２  レバー２
３  レバー３
４  胴体部
５  クリップ位置１
６  クリップ位置２
【図１】
2019188791.tif 000003
【図２】
2019188791.tif 000004
(57)【要約】【課題】指圧するとき、指を使うか、何かを使かって押すか、体重をかけて押すか。能動的に行動しなければならない。【解決手段】球状の形態の中央部に穴をあけ、その穴をゴムで結んで、球状のもののゴムの間に肉体を入れとけば、自然とゴムの復元力で指圧効果が得られる。なにも能動的行動をしなくても、ゴムの復元力によって指圧効果が得られて、能動的不都合を解決した。【選択図】図１
2019188112.tif 000002
【特許請求の範囲】
【請求項１】
2019188112.tif 000003
をゴムひもを通した指圧器
【発明の詳細な説明】
【技術分野】
【０００１】指圧器は人力を利用して、指圧したり指状のものに、体重を利用したりしたりして、指圧する。これを、ゴムの復元力を利用して、指圧をする、ゴム復元力指圧器を発明した。
【背景支術】
【０００２】指圧には、いちいちツボを押すか、圧迫する、それを当発明によって、ゴムの復元力を利用して指圧するので、つけてるだけで自動的に指圧効果が得られる。
【発明の開治】
発明が解決しようとする課題
【０００３】指圧するときはツボを押すか、指状のものに体重をかけて指圧するかで、ある。という欠点を解決するためのものである。
【課題を解決するための手段】
【０００４】何も力を使うことなく、ゴムの復元力を利用する指圧器である。
球状のたまを２つ以上を用意して、ゴムを通して球状の中央部の穴を通して結ぶ、球状のゴムの間に腕や体を入れることによって、ゴムの復元力によって、球状と、肉体の接触部に指圧効果がえられる。
【発明の効果】
【０００５】  本発明によって、手を使わず、指圧することもなく、腕や、足、胴体、頭等に設置しとくだけで、ゴムの復元力によって、指圧効果が得られる。
【発明を実施するための最良の形態】
【図面の簡単な説明】
【０００６】
【図１】図１は、球状の中央にゴムを通して結んだ斜視図である。ゴムは、腕や足を入れられるように、たるみがすこしある。
【図２】図２は平面図である
【図３】図３は正面図である。
【図１】
2019188112.tif 000004
【図２】
2019188112.tif 000005
【図３】
2019188112.tif 000006